(57)【特許請求の範囲】
【請求項１】
歯科用のフィルム状の咬合圧測定センサーのセンシングポイントからの圧力値が画像並びにデータにて表示される咬合圧測定装置において、
歯牙の咬合圧を測定するフィルム状の咬合圧測定センサーが、その表裏に色素転写塗料又は咬合紙を被着してなり、
咬合圧測定時に、咬合面上の歯牙の接触部位に色素を付着させ、咬合圧測定装置の計測画像処理部によりデジタル処理され表示される、歯科用咬合圧測定センサーのセンシングポイントからの経時変化や動的変化を含む咬合圧力値の画像及びデータと、色素が付着された咬合面上の接触部位とを対比させて、診断に供されるものであることを特徴とする咬合圧測定装置。
【請求項２】
咬合圧センサーの検出精度が、１０ｍｍ平方当たり４００センシングポイント以上であることを特徴とする請求項１に記載の咬合圧測定装置。
【請求項３】
咬合圧センサーの表裏に、袋状の咬合紙を着脱自在に装着してなることを特徴とする請求項１又は２に記載の咬合圧測定装置。
【請求項４】
咬合紙が咬合面の接触部位に色素を付着する際、咬合圧に応じて色素の色彩が変化するものであることを特徴とする請求項１〜３のいずれか１項に記載の咬合圧測定装置。
【請求項５】
咬合圧測定センサーの検出領域が、小範囲に特定された領域であることを特徴とする請求項１〜４のいずれか１項に記載の咬合圧測定装置。
【発明の詳細な説明】
【０００１】
【発明の属する技術分野】
歯科用咬合圧測定装置に係り、特に表示される咬合圧測定値と同時に色素が付着された咬合面上の接触部位との対比による診断治療に関する。
【０００２】
【従来の技術】
従来の歯科用咬合圧測定装置においては、粗い分解能の咬合圧センサーからセンシングポイントをデジタルで取り出し表示するものがあり、また、咬合面上の接触部位への色素付着は、別途咬合紙を使用して行われていた。その他に厚手の咬合フイルムに着色された濃淡を圧力に換算し表示する方式のものがあった。
【０００３】
【発明が解決しようとする課題】
上記、咬合圧をデジタルで取り出すものは、分解能が粗いため接触部位の位置の精度が得られず、また、別途行う咬合面への色素付着と、前記咬合圧の分布画像との位置関係を特定することは困難であり、診断と治療は主として熟練者の経験と勘に基づいて実施されていた。さらに、フィルムの色素の濃淡を圧力に換算し表示するものは、咬合圧との相関度が低い場合があった。
本発明では上記の課題を解決する手段を提供する。
【０００４】
【課題を解決するための手段】
上記に鑑み本発明者等は鋭意実験研究の結果下記の手段によりこれらの課題を解決した。
（１）歯科用のフィルム状の咬合圧測定センサーのセンシングポイントからの圧力値が画像並びにデータにて表示される咬合圧測定装置において、
歯牙の咬合圧を測定するフィルム状の咬合圧測定センサーが、その表裏に色素転写塗料又は咬合紙を被着してなり、
咬合圧測定時に、咬合面上の歯牙の接触部位に色素を付着させ、咬合圧測定装置の計測画像処理部によりデジタル処理され表示される、歯科用咬合圧測定センサーのセンシングポイントからの経時変化や動的変化を含む咬合圧力値の画像及びデータと、色素が付着された咬合面上の接触部位とを対比させて、診断に供されるものであることを特徴とする咬合圧測定装置。
（２）咬合圧センサーの検出精度が、１０ｍｍ平方当たり４００センシングポイント以上であることを特徴とする（１）項に記載の咬合圧測定装置。
（３）咬合圧センサーの表裏に、袋状の咬合紙を着脱自在に装着してなることを特徴とする（１）項又は（２）項に記載の咬合圧測定装置。
【０００５】
（４）咬合紙が咬合面の接触部位に色素を付着する際、咬合圧に応じて色素の色彩が変化するものであることを特徴と（１）〜（３）項のいずれか１項に記載の咬合圧測定装置。
（５）咬合圧測定センサーの検出領域が、小範囲に特定された領域であることを特徴とする（１）〜（３）項のいずれか１項に記載の咬合圧測定装置。
【０００６】
【発明の実施の形態】
歯科用咬合圧測定センサーのセンシングポイントからの圧力値が画像並びにデータにて表示される咬合圧測定装置において、検出精度を向上させるとともに、歯牙の咬合圧を測定する強度と柔軟性を有するフィルム状の咬合圧センサーの表裏に色素付着具を被着してなり、咬合圧測定と同時に接触部位に色素を付着する。
以下図面に基づき実施の形態を説明する。
【０００７】
【実施例】
図１は、基本となる咬合圧センサーの外観図で、
（イ）図はセンサー上面（表面：Ｙ方向ライン）の平面図
（ロ）正面図
図２は正面図基本となる咬合圧センサーの外観図で
（ハ）図はセンサー下面（裏面：Ｘ方向ライン）の平面図
（ニ）図は正面図を示す。
図において、１はセンサ表面、２はセンサ裏面、６はＹ軸方向センシングラインの本数、３はＹ方向ライン電極、４はＹラインからの引き出し線、５はＹラインの接触ポイント、４１はＹ軸方向センシングラインエリアのポイント数、７はＸ軸方向センシングラインの本数、８はフィルムの厚さ、９はＸ方向ラインの電極、１０はＸラインからの引き出し線、１１はＸラインの接触ポイント、１２は感圧素子、１３はフィルム、４２はＸ軸方向センシングラインエリアのポイント数、２４は基本となる咬合センサを示す。
図１の（ロ）図に示したように、咬合センサーはポリエチレン系の柔軟性を有しかつ強度を有する厚さ８（約０．１ｍｍ）のフィルム１３を基板とし、該フィルムの表面（イ）図及び裏面（図２：ハ）図に、感圧素子１２を薄膜状に生成して、その上にＹ方向ライン電極３並びに、Ｘ方向ラインの電極９をマトリックス状に配設して、その交点を圧力のセンシングポイントとしている。
また、全体は、Ｙラインの接触ポイント５並びにＸラインの接触ポイント１１を露出し、その他はポリエチレン系の薄膜で覆われている。
【０００８】
そして、例えば、Ｙ方向ライン電極３の本数を０，５ｍｍピッチとすると、 Ｙ軸方向センシングラインのエリア本数６は（２０本／１０ｍｍの分解能（イ）図）より、Ｙラインからの引き出し線４を経由したラインの接触ポイント５は、１００ポイント「（２０本／１０ｍｍ）×５（有効幅５０ｍｍとする）」に配設する。
また、Ｘ方向ライン電極９の本数も同様に０，５ｍｍピッチとし、 Ｘ軸方向センシングラインのエリア本数７も（２０本／１０ｍｍ：（ハ）図）で、Ｘラインからの引き出し線、１０を経由したＸラインの接触ポイント１１も１００ポイントとしている。
前述したように、上記Ｙ方向ライン電極３と、Ｘ方向ラインの電極９のマトリックスの交点がセンシングポイントであるから、Ｘ軸方向センシングラインエリアのポイント数４２及びＹ軸方向センシングラインエリアのポイント数４１の分解能は、１０ｍｍ平方／４００（２０×２０）ポイントである。
従って、咬合時の接触面積が少ない場合も精度のよい検出が可能となる。
なお、従来の検出精度は、８本／１０ｍｍ程度（１０平方ｍｍ／６４）ポイントであり、比較すると、本咬合圧センサは６倍強の精度を得ることができる。
【０００９】
次に、前記基本となる咬合圧センサの表裏に、色素付着具を被着し、咬合圧測定と同時に、咬合面の接触部位に色素を付着する色素付着具を備えて一体とした本発明の咬合圧センサについて説明する。
着色方法としては、下記の諸方法がある。
図３は、表裏に色素転写塗料を塗布又は咬合紙を接着した咬合センサ図で、
（イ）図はセンサー上部の平面図、（ロ）図はセンサー下部をハンド操作部に挿入時の正面図である。
図において、１４はセンサ上部、１５はセンサ下部、１７は信号送出ケーブル、２１は色素転写塗料塗布、２２は咬合紙接着面、２３はハンド操作部、２５は色素を被着した咬合センサを示す。
図示したように、色素を被着した咬合センサー２５の表面１及び裏面２に色素転写塗料を塗布２１するか、あるいは、咬合紙接着面２２のように咬合紙を配設し、また咬合センサー２５をセンサ下部のＹラインの接触ポイント５が、ハンド操作部２３内のコネクタのポイント（図示せず）に一致するように挿入し、ハンド操作部２３を持ち操作ボタン１６を操作して使用する。
また、色素を被着した咬合センサ２５からの咬合圧の計測値は、信号送出ケーブルケーブル１７から画像処理部を経て表示装置により表示される（図５）。
上記に使用される色素付着用色素転写塗料は、例えば咬合紙の素材である濃厚な色素を含む不乾性インキ等を塗布する。
また、咬合紙を用いる場合は、その一面を咬合センサの表裏に接着して作成する。
上記のようにして、咬合圧センサの表裏に色素付着具を被着し、咬合圧測定と同時に咬合面の接触部位に色素を付着することができる。
【００１０】
次に、 咬合紙を袋状とし、上記咬合圧センサに装着して使用する場合を説明する。
図４は咬合紙を袋状にした図で、
（イ）は袋状咬合紙の平面図、（ロ）図は袋状咬合紙の正面図である。
図５は袋状咬合紙を咬合面に装着した咬合圧センサ図で、
（イ）図は袋状咬合紙を咬合面に装着した咬合圧センサの正面図、
（ロ）図は同側面図である。
図において、１６は操作押ボタン、１８は袋状咬合紙、１９は袋の開口幅、２０は簡易接着部、２６は袋状咬合紙を咬合面に装着した咬合圧センサを示す。
図示したように、袋状咬合紙１８を、センサ上部１４の表面１及び裏面２の咬合面に装着し、簡易接着部２０を接着し開口部を閉じて作成する。
そして、袋状咬合紙１８は着脱可能として、一患者に対し数回使用後は袋状咬合紙を上方に引き抜いて廃棄し、新品と交換する。
また、咬合センサー２６をセンサ下部のＸラインの接触ポイント１１が、ハンド操作部２３内のコネクタのポイント（図示せず）に一致するように挿入して、ハンド操作部２３を持ち操作ホタン１６を操作して使用する。
咬合センサ２５からの咬合圧の計測値は、信号送出ケーブル１７から画像処理部を経て表示装置により表示される（図６）。
上記のようにして、前項同様に咬合圧センサの表裏を色素付着材料によって被着し、咬合圧測定と同時に咬合面上の接触部位に色素を付着することができる。
【００１１】
前記の塗布材料又は咬合紙による歯牙への付着色素の色彩は、単色でも位置の表示は可能（圧力値は咬合圧測定器による）であるが、
咬合圧の大小に応じて、２〜３色に付着分けできるようにし、咬合面に付着された色彩を見てその位置の概略の圧力値を知ることができれば効率的である。
例えば、表層（青）中層（赤）深層（黒）のように、咬合紙を重ねて接着したものを使用し、咬合圧によって異なる歯牙咬頭の貫通度によって、付着する色素の色彩が変るようにしてもよい。
なお、咬合紙は、２色のもの、湿潤状態で使用可能なもの、柔軟性に富むもの、厚さ８ミクロン〜３０ミクロンまであり、また、色彩は黒、赤、緑、青等があるので、咬合紙にてセンサの咬合面を被着することにより、その厚さによってセンサーの柔軟性及び密着性並びに検出精度が損なわれないように、これらを選択組み合わせて採用する。
【００１２】
前記した全域にわたる咬合面圧力の検出表示と、咬合面の色素付着によって、より的確な全体的な診断並びに治療を行うことができるが、
さらに局所的な咬合圧の計測と、咬合面への色素付着による局所的な診断治療の２つの処置を併用することにより、より的確な総合的診断治療を行うことができる。
上記のため、次に局所的な咬合圧検出センサと、センサ表裏の色素付着具について述べる。
まず、咬合圧検出センサの領域を所要の、例えば前歯、臼歯等の１〜２本に限定し、検出面積の小さいセンサを咬合紙にて被着するようにした局所咬合圧検出センサを作成する。
検出精度や咬合面への色素付着等の作用については、前記全体的な咬合圧検出センサと同様であり、センサの形が小さくなり、検出ポイントの減少に伴う検出信号の処理と表示を変更すればよいので詳細は省略する。
【００１３】
次に、ブロック図によって咬合圧測定装置の構成とフローを説明する。
図６は咬合圧測定装置のブロック図である。
図において、２５′は局所の色素付着具付咬合圧センサ、２７は歯列、２８は計測画像処理部、２９は表示装置、３０は咬合面圧力分布画像、３０’データ、３１はハードコピー、３２は咬合面上の色素付着図、３３は局所の咬合面圧力画像、３４は大臼歯、３４’は大臼歯の咬合圧画像、３５は咬合面上付着色素、３６は歯列上の局所の咬合面の色素付着図、３７は診断、３８は説明、３９は治療、４０は総合診断治療を示す。
被測定者の歯列２７の、経時的変化や動的変化を含む咬合圧力は色素付着具付咬合圧センサ２５により検出され、検出された信号はハンド操作部２３を経由して、計測画像処理部２８によりデジタル処理され圧力分布に応じて例えば赤、青、黄色等に色分けされた咬合面圧力分布画像３０並びに計測データ３０’が表示装置２９に表示される。また、画面はハードコピー３１として出力することができる。一方、前記咬合と同時に色素付着具によって歯列２７の咬合面は、咬合面色素付着３５のように色素が付着される。この状態を咬合面の色素付着図３２に示した。
さらに、被測定者の歯列上の局所の咬合面を測定する場合は、経時的変化や動的変化を含む咬合圧力は、局所色素付着具付咬合圧センサ２５′により検出され、検出された信号はハンド操作部２３を経由して、計測画像処理部２８によりデジタル処理され圧力分布に応じて、例えば赤、青、黄色等に色分けされた局所の咬合面圧画像３３並びに計測データ３３’が表示装置２９に表示される。
【００１４】
上記表示装置２９に表示した局所の咬合面圧画像３３及びデータ３３’と、歯列上の局所の咬合面の色素付着図３６に示したように、
例えば大臼歯３４の咬合面圧画像３４’が表示され、また大臼歯３４の咬合面は、局所の咬合面の色素付着図３６のように色素が付着されるため、
施術者は、表示画像２９の咬合面圧力分布画像３０及びデータ３０′による歯列全体の咬合圧、あるいは局所の咬合面圧力画像３３並びに咬合面の色素付着３６によって、定量的に現状を把握し的確に診断３７治療３９でき、熟練者でなくても容易に施療することができる。
そして患者にも、前記咬合面圧力分布画像３０あるいは局所の咬合面圧力画像３３及びハードコピー３１等によって状態を定量的に説明３８することができる。また、例えば前記局所の治療後に、全咬合面圧力分布画像と比較することにより結果の総合診断も容易に行うことができる。
また、前記の咬合圧画像やデータは記録保存できるため、治療後の経過観察も容易である。
なお、前記咬合圧測定装置のブロック図６には、下顎歯列の咬合圧画像並びに咬合面色素付着図を示したが、対象を上顎の歯列とすれば逆の画像が発生表示される（図示せず）。
【００１５】
【発明の効果】
本発明によれば以下に記述する優れた効果が発揮される。
１、本発明の請求項１の発明によれば、歯牙の咬合圧を測定するフィルム状の咬合圧測定センサーが、その表裏に色素転写塗料又は咬合紙を被着してなるため、咬合圧測定と同時に咬合面の接触部位に色素を付着することができ、かつ歯科用のフィルム状の咬合圧測定センサーのセンシングポイントからの圧力値の画像及びデータと、色素が付着された接触部位とを対比させて、診断又は治療を行うことにより、局所的並びに総合的な咬合状態の診断から治療に至るまでのシステムを効率よく実行することができる。そして、
〈１〉咬合圧の測定位置と色素が付着された接触部位との位置が一致するため、診断が容易となる。
〈２〉診断後の治療において、咬合面に色素付着されている部分の咬合圧値が計測されているため、従来主として経験と勘による熟練によって行われていたその部分の切削による調整を、熟練者でなくても的確に行うことができる。
〈３〉咬合圧及び接触部位との位置が定量化されることにより、患者に対して患部の現状や治療方針等を分かりやすく説明することができる。
〈４〉側方、前方運動時の咬合接触像も記録することが可能であり、また、一枚のシートで色々な下顎位での咬合接触状態を記録することができる。
〈５〉咬合に関する記録を、画像や数値によるデータで残すことができるため、治療後の経過観察も容易である。
２、さらに、請求項２の発明によれば、咬合圧センサーの検出精度を１０ｍｍ平方当たり４００センシングポイント以上としたため高い位置精度の分解能が得られる。
３、請求項３の発明によれば、袋状の咬合紙を着脱自在に装着してなるため、袋状の咬合紙のみを廃棄交換して使用できる。
４、請求項４の発明によれば、咬合紙が咬合面上の接触部位に色素を付着する際、咬合圧に応じて色彩が変化するため、色素付着された色彩により咬合圧の程度を知ることができ、診断と作業が容易になる。
５、請求項５の発明によれば、咬合圧測定センサーの検出領域が、小範囲に特定された領域であるため、頻度の高い局所の診断も精度よく的確に行うことができる。
【図面の簡単な説明】
【図１】基本となる咬合圧センサーの外観図。
【図２】基本となる咬合圧センサーの外観図。
【図３】表裏に色素転写塗料を塗布又は咬合紙を接着した咬合センサ図。
【図４】咬合紙を袋状にした図。
【図５】袋状咬合紙を装着した咬合圧センサ図。
【図６】咬合圧測定装置のブロック図。
【符号の説明】
１：センサ表面                        ２：センサ裏面
３：Ｙ方向ライン電極                  ４：Ｙラインからの引き出し線
５：Ｙラインの接触ポイント            ６：Ｙ軸方向センシングラインの本数
７：Ｘ軸方向センシングラインの本数    ８：フィルムの厚さ
９：Ｘ方向ラインの電極                １０：Ｘラインからの引き出し線
１１：Ｘラインの接触ポイント          １２：感圧素子
１３：フィルム                        １４：センサ上部
１５：センサ下部                      １６：操作押ボタン
１７：信号送出ケーブル                １８：袋状咬合紙
１９：袋の開口幅                      ２０：簡易接着部
２１：色素転写塗料塗布                ２２：咬合紙接着面
２３：ハンド操作部                    ２４：基本となる咬合センサ
２５：色素付着具付咬合圧センサ
２５′：局所の色素付着具付咬合圧センサ
２６：袋状咬合紙を装着した咬合圧センサ
２７：歯列                            ２８：計測画像処理部
２９：表示装置                        ３０：咬合面圧力分布画像
３０’：データ                        ３１：ハードコピー
３２：咬合面上の色素付着図            ３３：局所の咬合面圧力画像
３４：大臼歯                          ３４’：大臼歯の咬合圧画像
３５：咬合面上付着色素
３６：歯列上の局所の咬合面の色素付着図
３７：診断                            ３８：説明
３９：治療                            ４０：総合診断治療
４１：Ｙ軸方向センシングラインエリアのポイント数
４２：Ｘ軸方向センシングラインエリアのポイント数
【図１】
0004296365.tif 000002
【図２】
0004296365.tif 000003
【図３】
0004296365.tif 000004
【図４】
0004296365.tif 000005
【図５】
0004296365.tif 000006
【図６】
0004296365.tif 000007